(57)【要約】      （修正有）【課題】激しい運動や長時間の着用時にも、人体への保持を維持できる人体四肢の着用物を提供する。【解決手段】外層１１と内層１２とが備える透気すべり止め帯１０であり、上記外層１１は、弾性布から構成され、上記透気すべり止め帯の基材とされ、その伸縮弾性を利用して、人体四肢に対して、適当な締め付け力と、十分の耐引き裂き強度とが付与される。上記内層１２は、適当な伸縮弾性を有し、透気やすべり止め及び吸汗性の発泡材料から構成され、上記外層１１の内側表面に結合され、人体四肢の皮膚に貼り付き、優れたすべり止めや透気及び吸汗性効果が得られる。【選択図】図３
0003154577.tif 000002
【実用新案登録請求の範囲】
【請求項１】
弾性布から構成され、透気すべり止め帯の基材とされ、その伸縮弾性を利用して、人体四肢に対して、適当な締め付け力と、十分な耐引裂き強度とが、付与される外層と、
適当な伸縮弾性を有し、透気性、すべり止め性及び吸汗性を有する発泡材料から構成され、上記外層の内側表面に結合され、人体四肢の皮膚に貼り付き、優れたすべり止め性、透気性及び吸汗性効果が得られる内層と、
が備える透気すべり止め帯を有する、
ことを特徴とする人体四肢の着用物。
【請求項２】
上記透気すべり止め帯が、更に、複数の、均一に上記外層の内側表面と内層の外側表面間に塗布されて、上記外層と内層とを粘着して結合するための点状粘着剤から構成される粘着層を有し、上記点状粘着剤が、所定の距離に離れることにより、複数の透気空間が形成されて、透気作用が実現されることを特徴とする請求項１に記載の人体四肢の着用物。
【請求項３】
上記内層が、ＰＵ発泡材から構成されることを特徴とする請求項１に記載の人体四肢の着用物。
【請求項４】
上記外層が、長尺で帯状の弾性布の両自由端を、一体に縫って固定することによって構成されることを特徴とする請求項１に記載の人体四肢の着用物。
【請求項５】
上記外層が、長尺で帯状の弾性布を両自由端に、それぞれ、互いに可動的に止着可能な雄止着帯と雌止着帯を縫うことにより構成されることを特徴とする請求項１に記載の人体四肢の着用物。
【請求項６】
上記外層に、ストッキング及びアームカバー等の人体四肢の着用物本体の開口された部位で人体四肢を挟持するための少なくとも二つの挟持素子が縫って固定されることを特徴とする請求項１に記載の人体四肢の着用物。
【請求項７】
上記外層に、ストッキング及びアームカバー等の人体四肢の着用物本体の開口された部位でフックして人体四肢を挟持するための少なくとも二つのフックが縫われることを特徴とする請求項１に記載の人体四肢の着用物。
【請求項８】
上記外層の外側表面に、ストッキング及びアームカバー等の人体四肢の着用物本体の開口された部位で可動的に人体四肢に貼り付けるための少なくとも一つの所定形状を有し、シリカゲルからなるすべり止め部材が設置されることを特徴とする請求項１に記載の人体四肢の着用物。
【請求項９】
上記外層に、ストッキングやアームカバー等の人体四肢の着用物本体の開口された部位で人体四肢を挟持するための少なくとも二つの係合素子が設置されることを特徴とする請求項１に記載の人体四肢の着用物。
【請求項１０】
上記外層の上下両方の少なくとも一部を、外へ畳んで縫って、外部に露出した内層に、ストッキング及びアームカバー等の人体四肢の着用物本体の開口された部位で人体四肢を挟持するためのリング状滑り止め部位が形成されることを特徴とする請求項１に記載の人体四肢の着用物。
【請求項１１】
更に、人体四肢に着用されるストッキング及びアームカバー等の着用物本体に、着用するための開口部位が形成され、上記開口部位が、上記透気すべり止め帯によって固定されることにより、弛緩による滑り落ちを防止したことを特徴とする請求項１に記載の人体四肢の着用物。
【請求項１２】
上記外層に縫い込まれる複数の挟持素子が、それぞれ、上記着用物本体の開口部位を挟持して、上記着用物本体が、確実に人体四肢に固定されることを特徴とする請求項１１に記載の人体四肢の着用物。
【請求項１３】
上記外層に、少なくとも二つのフックが縫い込まれ、上記着用物本体の開口部位に、少なくとも二つの上記フックをフックするための係合穴が設置され、上記着用物本体が、確実に、フックによって、人体四肢に固定されることを特徴とする請求項１１に記載の人体四肢の着用物。
【請求項１４】
上記外層に、少なくとも二つのフックが縫い込まれ、上記着用物本体の開口部位に、少なくとも二つの上記フックがフックできる係合リングが縫い込まれ、上記着用物本体が、確実にフックによって、人体四肢に固定されることを特徴とする請求項１１に記載の人体四肢の着用物。
【請求項１５】
上記外層の外側表面と、上記着用物本体の開口部位の内側表面に、それぞれ、少なくとも一つの、互いに可動的に貼付又は分離可能であり、所定形状のシリカゲルからなるすべり止め部材が設置され、上記着用物本体が、確実に人体四肢に固定されることを特徴とする請求項１１に記載の人体四肢の着用物。
【請求項１６】
上記着用物本体の開口部位の外側表面に、上記内層の内側表面と互いに可動的に貼付又は分離可能であり、少なくとも一つの所定形状のシリカゲルからなるすべり止め部材が設置され、上記着用物本体が、確実に人体四肢に固定されることを特徴とする請求項１１に記載の人体四肢の着用物。
【請求項１７】
上記内層の下端と所定の距離を離れた局部の内側表面と、上記着用物本体の開口部位の外側表面とが、互いに可動的に貼付又は分離ができるように、上記着用物本体が、確実に、人体四肢に固定されることを特徴とする請求項１１に記載の人体四肢の着用物。
【請求項１８】
上記外層と、上記着用物本体の開口部位に、少なくとも二つの互いに可動的に係合できる係合素子が設置され、上記着用物本体が、確実に、人体四肢に固定されることを特徴とする請求項１１に記載の人体四肢の着用物。
【請求項１９】
上記外層の上下両方の少なくとも一部を、外へ畳んで縫って、外部に露出した内層に、リング状滑り止め部位が形成され、上記着用物本体の開口部位の内側表面に、すべり止め部材が設置されるため、上記リング状滑り止め部位と、互いに可動的に貼付し、上記着用物本体が、確実に、人体四肢に固定されることを特徴とする請求項１１に記載の人体四肢の着用物。
【考案の詳細な説明】
【技術分野】
【０００１】
本考案は、着用物に関し、特に、人体四肢の着用物に関する。
【背景技術】
【０００２】
既存の人体四肢の着用物、特に、ストッキングやアームカバー等の織物は、その開口部位により、膝や肘以上の腿や上腕部位に着用される。しかし、その肢体は、上部が太くて、下部が細いため、上記の着用物は、通常、その開口部位に設けた弾性ゴム布で、肢体を挟み込むことにより保持されるが、このような弾性ゴム布は、滑り止め性が十分でなく、また、仮に一時的には保持されても、四肢が運動する過程において、簡単に弛緩して下方へ滑り落ちるおそれが大きいという問題があった。
【０００３】
従って、従来、着用物のなかでもストッキングについては、ガードルを使用して、ガードルの金具でストッキングを引き上げる方式を採用するのが一般的であった。そして、その上でガードルとストッキングの接続について各種の提案がされており、例えば、実開平５−３５８０３公報にみられるように、ストッキングの接続部にカープカットを施すような工夫が提案されている状況にある。
【０００４】
しかし、かかる提案は、ガードルの使用を前提とするものであり、簡便性に欠け、また、コストの問題もあり、さらに、上腕部のアームカバーには適用できないものである。
【０００５】
かかる状況下において、従来、簡便な構成で透気性にも優れ、四肢の着用物のいずれにも適用することができ、ファッション性にも優れたものであり、人体四肢の運動が激しい場合、特に、長時間に及ぶ場合にも着用物の人体への保持性が十分に耐えられる固定手段の提案はなく、その開発が切望されてきた。
【特許文献１】実開平５−３５８０３公報
【考案の開示】
【考案が解決しようとする課題】
【０００６】
従って、本考案の課題は、ストッキング及びアームカバー等の人体四肢の着用物本体を確実に固定できる構成からなる着用物を提供することにある。
【課題を解決するための手段】
【０００７】
そこで、本考案者は、上記欠点を解消し、本考案の上記課題を解決するため、慎重に研究し、また、学理を活用して、検討を重ねた結果、優れた滑り止め性を有する透気すべり止め帯を人体四肢の着用物の構成要素として利用することにより、ストッキングやアームカバー等の人体四肢の着用物本体を、確実に人体四肢に固定でき、特に、腿や上腕から、弛緩による滑り落ちを防止できることを見出し、かかる知見に基いて、本考案に到達した。
【０００８】
かくして、請求項１の考案によれば、弾性布から構成され、透気すべり止め帯の基材とされ、その伸縮弾性を利用して、人体四肢に対して、適当な締め付け力と、十分の耐引裂き強度とが、付与される外層と、
適当な伸縮弾性を有し、透気性、すべり止め性及び吸汗性を有する発泡材料から構成され、上記外層の内側表面に結合され、人体四肢の皮膚に貼り付き、優れたすべり止め性、透気性及び吸汗性効果が得られる内層と、
が備える透気すべり止め帯を有する、
ことを特徴とする人体四肢の着用物が提供される。
【０００９】
請求項２の考案は、上記透気すべり止め帯が、更に、複数の、均一に上記外層の内側表面と内層の外側表面間に塗布されて、上記外層と内層とを粘着して結合するための点状粘着剤から構成される粘着層を有し、上記点状粘着剤が、所定の距離に離れることにより、複数の透気空間が形成されて、透気作用が実現されることを特徴とする請求項１に記載の人体四肢の着用物に関するものである。
【００１０】
請求項３の考案は、上記内層が、ＰＵ発泡材から構成されることを特徴とする請求項１に記載の人体四肢の着用物に関するものである。
【００１１】
請求項４の考案は、上記外層が、長尺で帯状の弾性布の両自由端を、一体に縫って固定することによって構成されることを特徴とする請求項１に記載の人体四肢の着用物に関するものである。
【００１２】
請求項５の考案は、上記外層が、長尺で帯状の弾性布を両自由端に、それぞれ、互いに可動的に止着可能な雄止着帯と雌止着帯を縫うことにより構成されることを特徴とする請求項１に記載の人体四肢の着用物に関するものである。
【００１３】
請求項６の考案は、上記外層に、ストッキング及びアームカバー等の人体四肢の着用物本体の開口された部位で人体四肢を挟持するための少なくとも二つの挟持素子が縫って固定されることを特徴とする請求項１に記載の人体四肢の着用物に関するものである。
【００１４】
請求項７の考案は、上記外層に、ストッキング及びアームカバー等の人体四肢の着用物本体の開口された部位でフックして人体四肢を挟持するための少なくとも二つのフックが縫われることを特徴とする請求項１に記載の人体四肢の着用物に関するものである。
【００１５】
請求項８の考案は、上記外層の外側表面に、ストッキング及びアームカバー等の人体四肢の着用物本体の開口された部位で可動的に人体四肢に貼り付けるための少なくとも一つの所定形状を有し、シリカゲルからなるすべり止め部材が設置されることを特徴とする請求項１に記載の人体四肢の着用物に関するものである。
【００１６】
請求項９の考案は、上記外層に、ストッキングやアームカバー等の人体四肢の着用物本体の開口された部位で人体四肢を挟持するための少なくとも二つの係合素子が設置されることを特徴とする請求項１に記載の人体四肢の着用物に関するものである。
【００１７】
請求項１０の考案は、上記外層の上下両方の少なくとも一部を、外へ畳んで縫って、外部に露出した内層に、ストッキング及びアームカバー等の人体四肢の着用物本体の開口された部位で人体四肢を挟持するためのリング状滑り止め部位が形成されることを特徴とする請求項１に記載の人体四肢の着用物に関するものである。
【００１８】
請求項１１の考案は、更に、人体四肢に着用されるストッキング及びアームカバー等の着用物本体に、着用するための開口部位が形成され、上記開口部位が、上記透気すべり止め帯によって固定されることにより、弛緩による滑り落ちを防止したことを特徴とする請求項１に記載の人体四肢の着用物に関するものである。
【００１９】
請求項１２の考案は、上記外層に縫い込まれる複数の挟持素子が、それぞれ、上記着用物本体の開口部位を挟持して、上記着用物本体が、確実に人体四肢に固定されることを特徴とする請求項１１に記載の人体四肢の着用物に関するものである。
【００２０】
請求項１３の考案は、上記外層に、少なくとも二つのフックが縫い込まれ、上記着用物本体の開口部位に、少なくとも二つの上記フックをフックするための係合穴が設置され、上記着用物本体が、確実に、フックによって、人体四肢に固定されることを特徴とする請求項１１に記載の人体四肢の着用物に関するものである。
【００２１】
請求項１４の考案は、上記外層に、少なくとも二つのフックが縫い込まれ、、上記着用物本体の開口部位に、少なくとも二つの上記フックがフックできる係合リングが縫い込まれ、上記着用物本体が、確実にフックによって、人体四肢に固定されることを特徴とする請求項１１に記載の人体四肢の着用物に関するものである。
【００２２】
請求項１５の考案は、上記外層の外側表面と、上記着用物本体の開口部位の内側表面に、それぞれ、少なくとも一つの、互いに可動的に貼付又は分離可能であり、所定形状のシリカゲルからなるすべり止め部材が設置され、上記着用物本体が、確実に人体四肢に固定されることを特徴とする請求項１１に記載の人体四肢の着用物に関するものである。
【００２３】
請求項１６の考案は、上記着用物本体の開口部位の外側表面に、上記内層の内側表面と互いに可動的に貼付又は分離可能であり、少なくとも一つの所定形状のシリカゲルからなるすべり止め部材が設置され、上記着用物本体が、確実に人体四肢に固定されることを特徴とする請求項１１に記載の人体四肢の着用物に関するものである。
【００２４】
請求項１７の考案は、上記内層の下端と所定の距離を離れた局部の内側表面と、上記着用物本体の開口部位の外側表面とが、互いに可動的に貼付又は分離ができるように、上記着用物本体が、確実に、人体四肢に固定されることを特徴とする請求項１１に記載の人体四肢の着用物に関するものである。
【００２５】
請求項１８の考案は、上記外層と、上記着用物本体の開口部位に、少なくとも二つの互いに可動的に係合できる係合素子が設置され、上記着用物本体が、確実に、人体四肢に固定されることを特徴とする請求項１１に記載の人体四肢の着用物に関するものである。
【００２６】
請求項１９の考案は、上記外層の上下両方の少なくとも一部を、外へ畳んで縫って、外部に露出した内層に、リング状滑り止め部位が形成され、上記着用物本体の開口部位の内側表面に、すべり止め部材が設置されるため、上記リング状滑り止め部位と、互いに可動的に貼付し、上記着用物本体が、確実に、人体四肢に固定されることを特徴とする請求項１１に記載の人体四肢の着用物に関するものである。
【考案の効果】
【００２７】
本考案に係る人体四肢の着用物によれば、前記の通りの構成からなるものであり、簡便な構成により確実に人体四肢への固定を図ることができ、人体四肢の運動に際しても、人体への保持性が十分耐えることができる。
【００２８】
また、透気性を有するものとしているから、使用中、蒸れることもない。        
【考案を実施するための最良の形態】
【００２９】
以下、図面を参照しながら、本考案の特徴や技術内容について、詳しく説明する。もっとも、それらの図面等は、参考や説明のためのものであり、本考案は、それらによって限定されるものではない。
【００３０】
図１乃至図３に示すように、本考案に係る透気すべり止め帯１０は、外層１１と内層１２及び粘着層１３が含有され、特に、ストッキングやアームカバー等の人体四肢の着用物本体２０に適用することができる。
【００３１】
上記外層１１は、弾性布から構成され、上記透気すべり止め帯１０の基材とされ、その伸縮弾性を利用して、人体四肢に対して、適当な締め付け力と、十分の耐引裂き強度とが付与される。
【００３２】
上記内層１２は、適当な伸縮弾性を有し、透気性やすべり止め性及び吸汗性を有する発泡材料、特に、ＰＵ（ポリウレタン）発泡材料から構成され、上記外層１１の内側表面と結合して、人体四肢の皮膚に貼り付き、優れたすべり止めや透気及び吸汗性効果を奏することができる。
【００３３】
上記粘着層１３は、複数の、均一に上記外層１１の内側表面と内層１２の外側表面との間に塗布された点状粘着剤１３１から構成される。上記外層１１と内層１２とは、粘着して結合し、上記点状粘着剤１３１が、互いに、所定の距離に離れることにより、透気作用の複数の透気空間１３２が形成される。
【００３４】
上記実施例の透気すべり止め帯１０は、長尺状で帯体であり、二つの自由端を、縫い糸ａで、一体に縫うことにより構成され、全体としては、リング状で帯状である。通気すべり止め帯１０は、以上の如き構成からなり、足や掌から上へ人体の腿や上腕部位の位置に使用される。
【００３５】
上記実施例の透気すべり止め帯１０は、ストッキングやアームカバー等の人体四肢の着用物本体２０に適用される場合、確実に、上記着用物本体２０が固定されるので、弛緩により下へ滑るようなことがない。上記透気すべり止め帯１０と着用物本体２０は、多種類の実施態様が挙げられるが、例えば、人体四肢の着用物の着用物本体２０は、ストッキングを例とすることができる。
【００３６】
図３と図４のように、本考案に係る透気すべり止め帯１０は、着用物の構成要素として、ストッキングの着用物本体２０に適用され、これにより、挟持方式の第１の実施態様が形成される。上記透気すべり止め帯１０は、特に、外側表面に、少なくとも二つの帯体１４１が縫われ、また、上記帯体１４１の末端に、それぞれ、挟持素子１４２が固定されて、それにより、人体腿部位３０に着用されたストッキングの開口部位２１の対向する位置を挟持し、上記ストッキングは、確実に、腿部位３０に固定される。
【００３７】
図５は、フック方式である本考案の第２の実施態様である。上記透気すべり止め帯１０に、特に、外側表面に、少なくとも二つの帯体１４１が縫われ、また、上記帯体１４１の末端に、それぞれ、フック１４３が固定される。また、上記着用物本体２０の開口部位２１に、少なくとも二つの上記フック１４３がフックされるための係合穴２２が穿孔されてある。これにより、上記フック１４３が、ストッキングの開口部位２１にある対応する係合穴２２にフックされることができ、そのため、上記ストッキングが、確実に、腿部位３０に固定される。上記フック１４３は、直接に、上記透気すべり止め帯１０に固定されてもよく、少量のフック１４３に対して、多数の係合穴２２があり、フック１４３が、適当な位置にある係合穴２２を選択してフックすることができる。
【００３８】
図６に示される本考案の第３の実施態様は、ほぼ、上記第２の実施態様と同じで、その差異は、上記係合穴２２の代わりに、上記開口部位２１に連結された帯体２３１と、上記帯体２３１に連結された係合リング２３２とを利用して、上記係合リング２３２に、上記フック１４３が、フックされる。上記係合リング２３２は、直接に、上記開口部位２１に固定されても良い。
【００３９】
図７のように、本考案の第４の実施態様は、可動性を有する止着方式である。上記透気すべり止め帯１０は、特に、外側表面に、雄止着帯１４４が縫われて、上記着用物本体２０の開口部位２１において、特に、内側表面に、上記雄止着帯１４４と互いに可動的に止着や分離できる雌止着帯２４が縫われ、これにより、上記雄止着帯１４４が、ストッキングの開口部位２１にある対応する雌止着帯２４に可動的に止着できることにより、上記ストッキングが、確実に、腿部位３０に固定される。
【００４０】
図８のように、本考案の第５の実施態様は、可動性を有する貼付方式である。上記透気すべり止め帯１０は、外側表面に、シリカゲルからなるすべり止め部材１４５が塗布され、上記着用物本体２０の開口部位２１の内側表面に、上記すべり止め部材１４５と可動的に貼付及び分離ができ、同じシリカゲルであるすべり止め部材２５が塗布され、上記すべり止め部材１４５と、ストッキングの開口部位２１にあって対向するすべり止め部材２５とが、互いに可動的に貼り付くことにより、上記ストッキングが、確実に、腿部位３０に貼り付く。上記すべり止め部材１４５は、複数の点状分布のコロイドから構成されても良く、上記すべり止め部材２５は、リング状であるコロイドから構成されても良い。上記すべり止め部材１４５、２５の形状や数は、原則として、制限なく、十分な支持力があれば任意に選択して決定することができる。
【００４１】
図９のように、本考案の第６の実施態様は、可動的な係合方式である。上記透気すべり止め帯１０は、特に、外側表面に、少なくとも二つの雄係合素子１４６が縫われ、また、上記着用物本体２０の開口部位２１に、二つの帯体２６１が縫われて、上記帯体２６１の自由端に、雌係合素子２６２が接続されて、上記雄係合素子１４６と互いに可動的に係合及び分離ができ、上記雄係合素子１４６が、ストッキングの開口部位２１の対応する雌係合素子２６２と、互いに可動的に係合することにより、上記ストッキングは、確実に、腿部位３０に固定される。上記雄雌係合素子１４６、２６２は、位置交換しても良い。上記雌係合素子２６２は、直接に、上記ストッキングの開口部位２１の内側表面に縫われても良い。
【００４２】
図１０のように、本考案の第７の実施態様は、可動性を有する貼付方式であり、上記第５の実施例態様との差異は、上記すべり止め部材２５を、上記着用物本体２０の開口部位２１の外側表面に塗布し、直接に、上記透気すべり止め帯１０の内層１２の発泡材料自身にある、優れたすべり止め性を利用して、内側表面で、直接に、ストッキングの開口部位２１の対応するすべり止め部材２５と、可動的に貼り付けたものである。これにより、上記ストッキングが、確実に、腿部位３０に固定され、上記透気すべり止め帯１０は、上記内層１２の下方から所定の高さの内側表面が、上記ストッキングの開口部位２１のすべり止め部材２５と、互いに貼り付き、残りが、腿部位３０の皮膚に貼り付いてもよく、原則として、十分な貼り付き力が得られる貼り付き面積があればよい。
【００４３】
図１１の本考案の第８の実施態様は、上記第７の実施態様に類似し、その差異は、上記着用物本体２０の開口部位２１の外側表面に、上記すべり止め部材２５を塗布したものではなく、上記透気すべり止め帯１０の内層１２に優れた滑り止め性を有する内側表面の下方から所定距離の高さにある部位で、上記ストッキングの開口部位２１に、可動的に貼り付き、また、腿部位３０の皮膚に接触する残りの部位が保留される。
【００４４】
図１２の本考案の第９の実施態様は、上記第５の実施態様に類似し、その差異は、上記透気すべり止め帯１０の外側表面に、すべり止め部材１４５が塗布され、上記透気すべり止め帯１０の下方から所定の高さの部位を外へ畳んで、縫い糸ｂで一体に縫って固定することにより、上記外へ畳んだ内層１２の内側表面に、リング状滑り止め部位１４７が形成され、上記の優れた滑り止め性を有するリング状滑り止め部位１４７で、直接に、上記ストッキングの開口部位２１の対応するすべり止め部材２５と、可動的に貼り付き、上記ストッキングが、確実に、腿部位３０に固定され、上記畳み部位の高さは、腿部位皮膚に接触する内層１２の内側表面に、十分の貼り付き力を形成しなければならない。
【００４５】
図１３と図１４のように、本考案に係る上記透気すべり止め帯１０は、二つの自由端に、それぞれ、可動的に止着できる雄止着帯１５と雌止着帯１６とが縫われることにより、構成されてもよく、腿や上腕部位に、直接に、可動的に止着することにより、リング状で帯状の透気すべり止め帯１０を形成してもよい。これにより、容易に着用でき、また、異なるユーザーによって、自在に締め幅と緊張状態を調整できる利点が得られる。
【００４６】
図１５によれば、本考案の上記各実施態様は、ストッキングの場合と同じように、アームカバー等の着用物本体２０に適用することができ、特に、開口部位２１から上腕部位４０に着用されるアームカバーであり、上記アームカバーの着用物本体２０が、確実に、上腕部位４０に固定されるので、弛緩により下方へ滑り落ちるおそれがない。
【００４７】
以上の説明から明らかなように、本考案は、より進歩的かつより実用的であるから、法に従って実用新案の登録を請求する。
【００４８】
以上は、本考案の実施例を示したものであり、本考案は、それらによって限定されることがない。また、本考案に係わる考案登録請求の範囲や明細書の内容に基づいて行った等価の変更や修正は、全てが、本考案の範囲内に含まれることは明らかである。
【図面の簡単な説明】
【００４９】
【図１】本考案に係る人体四肢の着用物の透気すべり止め帯を例示する立体斜視図
【図２】本考案に係る人体四肢の着用物の透気すべり止め帯を例示する局部側面断面図である。
【図３】本考案に係る透気すべり止め帯と、ストッキングである着用物本体とが、挟持方式で連結された第１の実施態様を示す斜視図である。
【図４】本考案の第１の実施態様が人体腿部位に適用された状態の概念図である。
【図５】本考案に係る透気すべり止め帯と、ストッキングとが、フック方式で連結された第２の実施態様を示す斜視図である。
【図６】本考案に係る透気すべり止め帯と、ストッキングとが、他のフック方式で連結された第３の実施態様を示す斜視図である。
【図７】本考案に係る透気すべり止め帯と、ストッキングとが、可動的に止着方式で連結された第４の実施態様を示す斜視図である。
【図８】本考案に係る透気すべり止め帯と、ストッキングとが、可動的に貼り付き方式で連結された第５の実施態様を示す斜視図である。
【図９】本考案に係る透気すべり止め帯と、ストッキングとが、可動的に係合方式で連結された第６の実施態様を示す斜視図である。
【図１０】本考案に係る透気すべり止め帯と、ストッキングとが、他の可動的に貼り付き方式で連結された第７の実施態様を示す斜視図である。
【図１１】本考案に係る透気すべり止め帯と、ストッキングとが、更に他の可動的に貼り付き方式で連結された第８の実施態様を示す斜視図である。
【図１２】本考案に係る透気すべり止め帯と、ストッキングとが、更に他の可動的に貼り付き方式で連結された第９の実施態様を示す斜視図である。
【図１３】本考案の可動的に止着する構成の透気すべり止め帯の展開状態を示す立体外観図である。
【図１４】本考案の可動的に止着する構成の透気すべり止め帯の止着状態を示す立体外観図である。
【図１５】本考案の第１の実施態様である透気すべり止め帯と、アームカバーの着用物本体が、人体の上腕部位に着用された状態を示す概念図である。
【符号の説明】
【００５０】
１０    透気すべり止め帯
１１    外層
１２    内層
１３    粘着層
１３１  点状粘着剤
１３２  透気空間
１４１  帯体
１４２  挟持素子
１４３  フック
１４４  雄止着帯
１４５  すべり止め部材
１４６  雄係合素子
１４７  リング状滑り止め部位
１５    雄止着帯
１６    雌止着帯
２０    着用物本体
２１    開口部位
２２    係合穴
２３１  帯体
２３２  係合リング
２４    雌止着帯
２５    すべり止め部材
２６１  帯体
２６２  雌係合素子
３０    腿部位
４０    上腕部位
ａ      縫糸
ｂ      縫糸
【図１】
0003154577.tif 000003
【図２】
0003154577.tif 000004
【図３】
0003154577.tif 000005
【図４】
0003154577.tif 000006
【図５】
0003154577.tif 000007
【図６】
0003154577.tif 000008
【図７】
0003154577.tif 000009
【図８】
0003154577.tif 000010
【図９】
0003154577.tif 000011
【図１０】
0003154577.tif 000012
【図１１】
0003154577.tif 000013
【図１２】
0003154577.tif 000014
【図１３】
0003154577.tif 000015
【図１４】
0003154577.tif 000016
【図１５】
0003154577.tif 000017